【手続補正書】
【提出日】平成18年9月5日(2006.9.5)
【手続補正１】
【補正対象書類名】明細書
【補正対象項目名】特許請求の範囲
【補正方法】変更
【補正の内容】
【特許請求の範囲】
【請求項１】  異なる周波数を有する一対の直交する偏光ビームを生成する装置であって、該装置は、
光軸（ｚ）を有する多面の異方性の光学的に活性な結晶であって、該異方性の光学的に活性な結晶は、左施性楕円偏光モードと右施性楕円偏光モードとを含む光ビーム伝播の固有モードを有しており、該異方性の光学的に活性な結晶は、該光軸に対する直交軸から小角だけほぼ異なる法線面を含む少なくとも１つの切子面を有している、結晶と、
該少なくとも１つの切子面に固定されたトランスデューサ手段であって、該トランスデューサ手段は、少なくとも１つの音響ビームを生成し、それを該異方性の光学的に活性な結晶に配向し、その結果、該少なくとも１つの音響ビームの伝播方向が該光軸に対する直交軸から小角だけほぼ異なるようにすることにより、該異方性の光学的に活性な結晶内に少なくとも１つの相互作用領域を提供し、該相互作用領域の幅は、該音響ビームの幅とほぼ同一の広がりを有している、トランスデューサ手段と、
該トランスデューサ手段を駆動することにより、少なくとも１つの所定の周波数を有する該少なくとも１つの音響ビームを生成する手段と、
所定の周波数ｆＬを有する照明の直線偏光された入力ビームを提供する手段と、
該入力ビームが該少なくとも１つの相互作用領域を少なくとも１回伝播するようにするように、該入力ビームを該異方性の光学的に活性な結晶に誘導する手段であって、小角ブラッグ回折および少なくとも１つの所定の周波数を有する該少なくとも１つの音響ビームにより、該入力ビームは、互いに直交に偏光され、かつ、周波数が変更される２つの発生ビームとして、該少なくとも１つの相互作用領域から発生し、該発生ビームは、わずかに発散し直交に偏光された発生ビームとして、ほぼ同一の広がりを有する経路に沿って該異方性の光学的に活性な結晶を介して伝播し続ける、手段と、
該発散する発生ビームを遮断し、該発生ビームが所定の角度の発散を有する経路に沿って該異方性の光学的に活性な結晶から離れて出力ビームとして進行するように、該発生ビームを制御する手段と
を含む、装置。
【請求項２】  前記トランスデューサ手段は、該少なくとも１つの切子面に結合された少なくとも１つの圧電性トランスデューサを含む、請求項１に記載の装置。
【請求項３】  前記駆動する手段は、少なくとも１つの所定の周波数で電気信号を生成する安定化電気発振器と、該電気信号を受信し、該電気信号を増幅し、前記トランスデューサ手段に電力を供給する電力増幅器とを含む、請求項２に記載の装置。
【請求項４】  前記駆動する手段は、前記２つの発生ビームのうちの１つに変換される前記入力ビームの一部を選択的に制御するように構成されている、請求項１に記載の装置。
【請求項５】  前記２つの発生ビームのうちの１つに変換される前記入力ビームの部分は、実質的に５０％である、請求項４に記載の装置。
【請求項６】  前記入力ビームは通常の偏光ビームとして前記少なくとも１つの相互作用領域に出入りし、前記２つの発生ビームのうちの１つは異常に偏光し、あるいはその逆もある、請求項１に記載の装置。
【請求項７】  前記異方性の光学的に活性な結晶は、一軸性の光学的に活性な結晶を含む、請求項１に記載の装置。
【請求項８】  前記異方性の光学的に活性な結晶は、ＴｅＯ２、パラテルライト、ハロゲン化水銀、Ｈｇ２Ｃｌ２、Ｈｇ２Ｂｒ２、およびＨｇ２Ｉ２、ならびに石英を含む群から選択される、請求項７に記載の装置。
【請求項９】  前記異方性の光学的に活性な結晶の前記切子面のうち選択された１つに対し、該切子面のうちの該選択された１つを通る任意の音響パワーを吸収する吸収材料が提供される、請求項１に記載の装置。
【請求項１０】  前記異方性の光学的に活性な結晶の前記切子面のうちの１つは、前記入力ビームを該異方性の光学的に活性な結晶に結合する入口切子面として機能し、該入口切子面は、それを通って該入力ビームを結合することを容易にするように反射防止コーティングされている、請求項１に記載の装置。
【請求項１１】  前記出力ビームは実質的に平行である、請求項１に記載の装置。
【請求項１２】  前記発散する発生ビームを遮断し、該発生ビームを制御する手段は、プリズム手段を含む、請求項１に記載の装置。
【請求項１３】  前記プリズム手段は、異なる材料組成および光学特性を有する一対の切頭プリズムを含む、請求項１２に記載の装置。
【請求項１４】  前記切頭プリズムの前記光学特性は、前記発散する発生ビームの波面の伝播方向の間の任意の差を補償するような特性である、請求項１３に記載の装置。
【請求項１５】  前記切頭プリズムの前記光学特性は、前記発散する発生ビームの波面の伝播方向とそれらの各エネルギー束ベクトルとの間の任意の差の影響を補償するような特性である、請求項１４に記載の装置。
【請求項１６】  前記切頭プリズムの前記光学特性は、前記音響ビームの速度の変化の影響と、前記出力ビームの相対的な伝播方向における温度による前記装置の材料の屈折率の変化の影響とを補償するような特性である、請求項１５に記載の装置。
【請求項１７】
（ａ）前記異方性の光学的に活性な結晶の切子面に固定された別のトランスデューサ手段であって、該切子面は、前記光軸に対する直交軸から小角だけほぼ異なる法線面を有しており、該別のトランスデューサ手段は、別の音響ビームを生成し、それを該異方性の光学的に活性な結晶に配向し、その結果、該別の音響ビームの伝播方向が該光軸に対する直交軸から小角だけほぼ異なるようにすることにより、該異方性の光学的に活性な結晶内に別の相互作用領域を提供するように動作可能であり、該別の相互作用領域の幅は、該別の音響ビームの幅とほぼ同一の広がりを有しており、かつ、該入力ビームの進行方向にほぼ沿って配置されている、別のトランスデューサ手段と、
（ｂ）該別のトランスデューサ手段を駆動することにより、該別の音響ビームを別の所定の周波数で生成する手段と
をさらに含み、
前記入力ビームは、実質的にそのすべてが第２のビームに変換されるように、前記少なくとも１つの相互作用領域に入り、該第２のビームは、それが小角ブラッグ回折により、前記直交に偏光される発生ビームとして該異方性の音響的に活性な結晶を通ってさらに伝播する実質的に等しい強度の２つのビームに変換される該別の相互作用領域に入り、該発生ビームのうちの１つは、周波数がｆ（１）だけ変更され、該発生ビームのうちの１つは、周波数がｆ（１）±ｆ（２）だけ変更され、ｆ（１）は該少なくとも１つの音響ビームの該少なくとも１つの所定の周波数であり、ｆ（２）は該別の音響ビームの該別の所定の周波数である、請求項１に記載の装置。
【請求項１８】  前記トランスデューサ手段および前記別のトランスデューサ手段は、一方の発生ビームが周波数ｆ（１）だけ変更され、かつ、他方の発生ビームが周波数ｆ（１）＋ｆ（２）だけ変更されるように、該異方性の光学的に活性な結晶の対向する切子面に固定されている、請求項１７に記載の装置。
【請求項１９】  前記出力ビームは実質的に平行である、請求項１７に記載の装置。
【請求項２０】  前記発散する発生ビームを遮断し、該発生ビームを制御する手段は、プリズム手段を含む、請求項１７に記載の装置。
【請求項２１】  前記プリズム手段は、異なる材料組成および光学特性を有する一対の切頭プリズムを含む、請求項２０に記載の装置。
【請求項２２】  前記切頭プリズムの前記光学特性は、前記発散する発生ビームの波面の伝播方向の間の任意の差を補償するような特性である、請求項２１に記載の装置。
【請求項２３】  前記切頭プリズムの前記光学特性は、前記発散する発生ビームの波面の伝播方向とそれらの各エネルギー束ベクトルとの間の任意の差の影響を補償するような特性である、請求項２１に記載の装置。
【請求項２４】  複数のドライバのうちの少なくとも１つは、前記出力ビームの平均的な進行方向において熱的に引き起こされた変化を補償するように、周波数が選択的に変動される、請求項１７に記載の装置。
【請求項２５】  前記複数のドライバの両方は、平均的な進行方向におけて熱的に引き起こされた変化と、前記出力ビームの伝播方向における差とを補償するように、周波数が選択的に変動される、請求項１７に記載の装置。
【請求項２６】  前記出力ビームの平均的な進行方向において熱的に引き起こされた変化を補償する入力プリズム手段をさらに含む、請求項１７に記載の装置。
【請求項２７】  前記多面の異方性の光学的に活性な結晶は、前記平均的な進行方向において熱的に引き起こされた変化を補償するように、分割されている、請求項１７に記載の装置。